(57)【特許請求の範囲】
【請求項１】
上壁（１１２）、前記上壁から垂下する環状スカート部（１１４）、前記環状スカート部の内側に形成された少なくとも１つの蓋ねじ山（２３２）を有する環状ねじ切りスカート部（１３２）、前記環状スカート部の軸方向の長手に沿って延在する一対の間隙（５００）を介して前記環状スカート部から分離しかつ半径方向に撓む少なくとも１つの可動パネル（１１６）、および少なくとも１つの前記可動パネルの下縁部に一体成形された少なくとも１つの係止タブ（１２０）を含む蓋（１１０）、ならびに
容器本体（１５８）、前記容器本体から軸方向方へ突出したねじ山付き首部（１５２）、および前記首部の下端と前記容器本体の上端を連結する肩部（１６８）を含む容器（１５０）から成り、
前記可動パネルは前記可動パネルの上縁部（６００）によって前記蓋に連結され、
前記係止タブは、上端で前記可動パネルに連結され前記可動パネルから半径方向内方に所定の間隙（Ｇ）を置いて形成され、かつ前記蓋の回転方向において前面（３０３）と後面（３０４）、そして半径方向外側に円弧面（３００）を有し、
前記肩部は上面上に少なくとも１つの定置係止ラグ（１６４）を有し、かつ
前記定置係止ラグは前縁部（４０５）から後縁部（４０６）にかけて半径方向内側へ突出した内面（４０１）を有し、前記容器の首部のねじ山（１５４）上での前記蓋ねじ山（２３２）の第１方向への回転により、前記蓋を閉鎖方向へ回転させるときに係止タブ（１２０）の半径方向外側の円弧面（３００）が前記定置係止ラグ（１６４）の前縁部（４０５）から内面（４０１）に接触し、前記蓋の閉鎖方向への更なる回転により前記係止タブ（１２０）が半径方向内側へ屈曲して前記定置係止ラグの内面（４０１）に沿って摺動しながら、前記可動パネルと前記係止タブとの間の間隙（Ｇ）を通過して、前記定置係止ラグの後縁部（４０６）で半径方向に幅広の係止面（４０２）と前記係止タブの後面（３０４）とが当接係合し、
前記係止面（４０２）と前記後面（３０４）との当接係合により、前記首部のねじ山上での前記蓋ねじ山の第１方向と反対方向への回転が阻止され、かつ
前記可動パネルを半径方向内方へ屈曲させることにより、前記定置係止ラグの係止面（４０２）と前記係止タブの後面（３０４）との当接係合が解除され、前記定置係止ラグが前記可動パネルと前記係止タブとの間の間隙（Ｇ）を通過して前記首部のねじ山上での前記蓋ねじ山の第１方向と反対方向への回転が可能になることを特徴とする蓋と容器の組合体。
【請求項２】
前記蓋および前記容器はプラスチックで形成されている、請求項１の組合体。
【請求項３】
前記蓋はプラスチックで形成されかつ前記容器はガラスで形成されている、請求項１の組合体。
【請求項４】
前記定置係止ラグ（１６４）は前記首部の外周から前記肩部の上面上に延びたフランジ（１６０）上に形成されている、請求項１の組合体。
【請求項５】
前記環状ねじ切りスカート部（１３２）と前記環状スカート部（１１４）は実質的同心である、請求項１の組合体。
【請求項６】
前記環状スカート部は外面上にリブ（１１４ａ）を有する、請求項１の組合体。
【請求項７】
２つの前記可動パネル、２つの前記係止タブ、および２つの前記定置係止ラグを含む、請求項１の組合体。
【請求項８】
前記係止タブは周辺方向に１８０°の間隔を置き、かつ前記定置係止ラグは周辺方向に１８０°の間隔を置く、請求項７の組合体。
【請求項９】
上壁（１１２）、前記上壁から軸方向へ突出した環状スカート部（１１４）、前記環状スカート部の軸方向の長手に沿って延在する一対の間隙（５００）を介して前記環状スカート部の上縁に沿って周囲方向に形成されかつ半径方向へ撓む係止要素（１１６）、および前記環状スカート部の内側で前記上壁から軸方向へ突出しかつ蓋ねじ山（２３２）が形成された環状ねじ切りスカート部（１３２）を有する蓋、ならびに
容器本体（１５８）、前記容器本体から軸方向へ突出したねじ山付き首部（１５２）、前記容器本体の上端と前記首部の下端を連結する肩部（１６８）を有し、前記肩部の上面上に前記係止要素と係合するための当接要素（１６４）を有する容器（１５０）から成り、
前記係止要素は下縁部に一体成形された係止タブ（１２０）を含み、
前記係止タブは、上端で前記係止要素へ連結され前記係止要素から半径方向内方に所定の間隙（Ｇ）を置いて形成され、かつ前記蓋の回転方向において前面（３０３）と後面（３０４）、そして半径方向外側に円弧面（３００）を有し、
前記当接要素は前縁部（４０５）から後縁部（４０６）にかけて半径方向内側へ突出した内面（４０１）を有し、前記容器の首部のねじ山（１５４）上での前記蓋ねじ山の第１方向への回転により、前記蓋を閉鎖方向へ回転させるときに係止タブ（１２０）の半径方向外側の円弧面（３００）が前記当接要素（１６４）の前縁部（４０５）から内面（４０１）に接触し、前記蓋の閉鎖方向への更なる回転により前記係止タブ（１２０）が半径方向内側へ屈曲して前記当接要素の内面（４０１）に沿って摺動しながら、前記係止要素と前記係止タブとの間の間隙（Ｇ）を通過して、前記当接要素の後縁部（４０６）で半径方向に幅広の係止面（４０２）と前記係止タブの後面（３０４）とが当接係合し、
前記係止面（４０２）と前記後面（３０４）との当接係合により、前記容器からの前記蓋の離脱回転が阻止され、かつ
前記係止タブを半径方向内方へ屈曲させることにより、前記当接要素の係止面（４０２）と前記係止タブの後面（３０４）との当接係合が解除されて前記係止要素と前記係止タブとの間の間隙（Ｇ）への前記当接要素の通過が可能となり、前記容器の首部のねじ山（１５４）上での前記蓋ねじ山の第１方向と反対方向への回転により前記蓋の前記容器からの離脱回転が可能になることを特徴とする、収容物を安全に保存して包装体の操作によって収容物の利用を可能にするための複数要素から成る包装体。
【請求項１０】
前記蓋および前記容器はプラスチックにより形成されている、請求項９の包装体。
【請求項１１】
前記蓋はプラスチックにより形成されかつ前記容器はガラスにより形成されている、請求項９の包装体。
【請求項１２】
前記当接要素（１６４）は前記首部の外周から前記肩部の上面上に延びたフランジ（１６０）上に形成されている、請求項９の包装体。
【請求項１３】
前記環状ねじ切りスカート部と前記環状スカート部は実質的同心に形成されている、請求項９の包装体。
【請求項１４】
前記係止要素は可動パネルから成る、請求項９の包装体。
【請求項１５】
２つの前記係止要素および２つの前記当接要素を含む、請求項９の包装体。
【請求項１６】
前記係止要素は周辺方向において１８０°で隔置されかつ前記当接要素は周辺方向へ１８０°で隔置されている、請求項１５の包装体。
【発明の詳細な説明】
発明の背景
発明の分野
本発明は大人、衰弱した大人でも簡単に開放できるが、子供による開放に対して蓋の抵抗を受ける操作を必要とする子供対策容器−蓋装置に関する。本発明は製造が簡単なワンピース容器およびその蓋から成る。
従来技術の検討
子供対策包装は医薬、化学薬品または毒物等の潜在的危険物へ子供が不注意に接近するのを防止するために使用される。子供対策包装はしばしばコスト高となり、結果的にその包装が大人にとっても開放困難なことがある。子供対策包装のこの困難性はその包装を開放しようとする大人が衰弱している場合、または関節炎等により一方または両方の手で手先が鈍った場合に倍増される。高齢者は平均的に人よりも医薬に依存する傾向があり、関節炎または年齢のために手先の強度および手先の器用さを損なっている。従って、高齢者が子供対策包装を開放することは一層困難である。
子供対策包装は従来技術として存在する。例えば、Ｕｈｌｉｇによる米国特許第３，９１７，０９７号は容器上の当接物と係合する内部フランジについて記載している。この当接物とフランジとの離脱は対向する指止め部を押圧することによりフランジを屈曲させて当接物との係合から解放し、その後に蓋を回転させて行われる。この装置におけるフランジの屈曲は使用者の指により蓋の周辺を変形させることを必要とする。
Ｕｈｌｉｇによる米国特許第３，９８４，０２１号およびＯｗｅｎｓ他による米国特許第３，９４１，２６８号は容器上の当接物と係合する内部タブを有する蓋について説明している。このタブと当接物との離脱は、同様に、タブと当接物とが離脱するまで蓋の対向側部を屈曲し、かつそこで蓋を回転することにより達成される。Ｏｓｔｒｏｗｓｋｙによる米国特許第３，９９３，２０８号には同様構想が記載されている。これらの装置は同様にその特徴的係止部材を離脱させるために蓋の周辺を屈曲させることを必要とする。
最後に、Ｈａｍｉｌｔｏｎ他による米国特許第５，２３０，４３３号は容器上に取付けられたスリーブから突出するプッシュ式タブ延長部と係合する爪部材を有する蓋について記載している。離脱は対向するプッシュ式タブを押圧してから蓋を回転することにより達成される。
上述の従来技術による蓋の各々は、少なくとも、衰弱した大人による除去が容易でないと言う欠点を有する。なぜならば、これらの蓋は、蓋および容器間の係止機構を離脱するために蓋部の外周を屈曲することのできる相当な力を必要とするからである。
米国特許第４，９４８，００２号および米国意匠特許第３３０，６７７号は同様に子供対策包装について記載している。これらの包装は係止部を離脱するために手動操作を必要とする包装部が容器上に存在すると言う欠点を有する。その結果、使用者は特徴的係止部材を離脱するために一方の手で容器を操作し、かつ他方の手で蓋を操作して回転させることにより容器から蓋をねじって外す必要がある。このように、蓋を除去するために両手による手作業を必要とし、一方の手が衰弱している人による蓋の除去が困難である。これらの包装は、また、容器組立体上に嵌めるワンピース型蓋組立体と同様に複雑なツーピース型容器組立体を採用しているために製造が困難である。
発明の概要
本発明の課題は、子供による容器収容物への接近を防止するが、大人は、一方の手だけが器用である衰弱した大人であっても比較的容易に除去できる蓋と容器の子供対策組合体を提供することにある。更に、本発明の課題は製造および組立が簡単かつ経済的である子供対策包装を提供することにある。
本発明は１組の蓋および容器に関する。蓋は上壁、環状スカート部、および前記蓋の内部に形成された蓋ねじ山を有する。少なくとも１つの押込むことのできる可動パネルが環状スカート部に形成され、かつ１つの係止タブが各可動パネル上に形成されている。可動パネルは間隙によりスカート部から間隔をおき、この間隙が使用者の指による可動パネルの半径方向の変形をより一層容易にする。２以上の可動パネルおよび係止タブが蓋上に形成されるのが好ましい。
本発明の容器は収容物を収容するための収容部を含む。ねじ切りした首部がこの収容部から上方へ突出している。環形部が前記首部を囲繞しかつ少なくとも１つの定置係止ラグを含む。環形部は容器の上肩部により形成されてよい。好ましくは、２つの定置係止ラグは環形部上に形成されている。定置係止ラグは蓋上で係止タブと係合して、可動パネルが押込まれない場合に係止タブが蓋の回転を阻止し、容器首部からの離脱を防止する。
本発明の蓋および容器は各々プラスチックにより形成れてよいが、容器は選択的にガラスにより形成されてよい。蓋を容器へ固定する蓋ねじ山は蓋の上壁から突出する環状ねじ切りスカート部上に形成されてよい。環状ねじ切りスカート部および環状スカート部は実質的同心である。
上記環状スカート部は使用者による把持を容易にするために鋸歯またはリブを有する。可動パネル、係止タブおよび定置係止ラグはそれぞれ２個形成されているのが有利である。各可動パネルは蓋の周辺上に１８０°の角度で離隔設置されるのが有利である。
本発明の子供対策容器の内側に保持できる製品は、限定例ではなく、液体または固体薬品、ピル、処方薬、処置薬、石鹸、漂白剤、殺虫剤、毒薬、溶剤、工業薬品等を含む。
本発明による蓋と容器の組合体はガラスおよびプラスチック容器の製造に使用される従来設備により製造でき、設備の実質的負担となる如何なる変更も必要としない。従来プラスチックまたはガラス成形法が困難性を伴うことなく本発明の包装を構成するために使用できる。容器は、例えば、標準的瓶射出成形機により製造できる。
本発明の蓋および容器の組合体は数々の利点を有する。第１に、ワンピース瓶およびワンピース蓋として簡単に製造できる。第２に、包装体を開放するために瓶および蓋の両者を手で操作する必要はない。本発明の蓋は可動パネルとして設計するのが有利であり、この可動パネルは、蓋または容器を操作するために付加的設備を必要とすることなく自動ねじ込み機を使用して容器へ蓋を螺合することができる。最後に、本発明の包装体は係止部を離脱するために大きな屈曲力を必要としない。
【図面の簡単な説明】
図１は本発明の容器部の第１態様の側面図を示す。
図２は本発明の蓋の第１態様の側面図を示す。
図３は図２の蓋の上面図を示す。
図４は図２の蓋のＩＶ−ＩＶ線に沿った断面図であって蓋の係止タブを示す。
図５は図３の蓋のＶ−Ｖ線に沿った断面図を示す。
図６は図３の蓋のＶＩ−ＶＩ線に沿った断面図を示す。
図７は図１の容器の上面図を示す。
図８は図６の可動パネル領域のＶＩＩＩ−ＶＩＩＩ線に沿った詳細説明断面図を示す。
図９は本発明の定置係止ラグの側詳細図を示す。
図１０は本発明の定置係止ラグの上詳細図を示す。
図１１は本発明の定置係止ラグの先端を前向きにした詳細図を示す。
図１２は本発明の係止タブの他の態様を示す。
図１３は本発明の容器の他の態様を示す。
詳細な説明
図１から１３は本発明の蓋と容器の子供対策組合体を示す。蓋１１０は相互係止ねじ山１５４，２３２により容器上に取付けられて、容器収容物への接近を阻止する。
蓋１１０は概ね円形の上壁１１２を含む。上壁１１２から環状スカート部１１４が突出している。図２の蓋において、環状スカート部１１４はフレア状に広がって可動パネル１１６，１１６’の半径方向運動の範囲を拡大する。広範囲の可動パネル１１６，１１６’の半径方向運動により子供の小さな手による簡単な操作を阻止し、それにより子供による除去に対して特に蓋の固定を確実にする。環状スカート部１１４は、可動パネル１１６等の少なくとも１つの半径方向に撓む係止装置を含む。好ましくは、２つの可動パネル１１６，１１６’が形成されるが、可動パネルの数は幾つでもよい。環状スカート部１１４は蓋１１０の把持を容易にする鋸歯またはリブ１１４ａを含んでよい。可動パネル１１６，１１６’の外面には鋸歯またはリブを設けないのが好ましく、それにより子供が可動パネル１１６，１１６’を把持または操作するのを阻止する。係止タブ１２０は可動パネルｌ１６，１１６’の各々の半径方向内面に形成され、この係止タブは矩形断面または円弧３００として形成された１面を有していてよい（図８および１２参照）。係止タブ１２０，１２０’の円弧３００，３００’は、蓋１１０の容器首部１５２上への締結時に、定置係止ラグ１６４，１６４’上への係止タブ１２０，１２０’の係止を容易にする。上壁１１２に最も接近した係止タブ１２０，１２０’の一部（即ち上端部）はウエブ３０１，３０１’により可動パネル１１６，１１６’と一体成形される。係止タブ１２０，１２０’の他部（即ち下端部）は間隙Ｇ，Ｇ’により可動パネル１１６，１１６’から間隔を置く。係止タブ１２０，１２０’と可動パネル１１６，１１６’との間は間隙Ｇ，Ｇ’により係止タブ１２０，１２０’は半径方向へ屈曲し、それにより蓋１１０の容器１５０上への締結時に係止タブ１２０，１２０’の定置係止ラグ１６４のまわりでの屈曲を可能にする。定置係止ラグ１６４，１６４’は、蓋１１０の容器１５上での締結時に、間隙Ｇ，Ｇを通過する。
図６は蓋の断面を示し、蓋の内部を示す。環状ねじ付きスカート部１３２は上壁１１２から突出しかつ環状スカート部１１４と概ね同心である。ねじ切りスカート部１３２上のねじは容器首部１５２上の対応するねじと係止して蓋１１０を容器１５０上に保持する。ねじ２３２は、蓋１１０が容器首部１５２上に締結されるときに、係止タブ１２０，１２０’が定置係止ラグ１６４，１６４’上を覆う充分な長さを有するのもである。蓋１１０は固定ウエブ７００を含んでよく、これは環状スカート部１１４および環状ねじ切りスカート部１３２間を固定化する。
更に、蓋１１０と容器１５０上のねじ構成は複数のねじ山を含む構成であってよい。２以上の分離ねじ山が蓋１１０および容器１５０の各々上に形成されてよい。米国特許第５，２１３，２２５号はかかる構成を教示し、この方法においてねじは単に蓋と容器首部の周辺の一部のみを囲繞する。この構成を利用すれば、蓋は容器首部から除去するために一部の回転を必要とするのみである。この「迅速除去」の特徴は容器を開放するときに困難を伴う人に有利である。
本発明の１態様による容器の構造は図１および７に概括的に示されている。図１において、容器１５０は収容部１５８を有するものとして示されている。首部１５２は容器肩部１６８から上方へ延在する。この首部１５２は容器１５０の収容物を注ぐための開口部を形成する環状唇部１６２を有する。首部１５２のまわりには少なくとも１つの容器ねじ山１５４が形成されている。ねじ山１５４は容器１５０に蓋１１０を固定するための蓋１１０上の対応するねじ山２３２と係合する。環形部または拡大部１６０が首部１５２からフレア状に広がっている。拡大部１６０は容器本体１５８に融合する外周１５６を有する。拡大部１６０は容器１５０の軸（図１）と同心の概ねフラットなリング状環形部または床部（図１）により形成されるか、または容器首部１５２から突出するフランジ（図１３）であってよい。少なくとも１つの定置係止ラグ１６４が拡大部１６０に据え付けられている。図１において、２つの定置係止ラグ１６４，１６４’が図示されている。図１０に示されたように、定置係止ラグ１６４，１６４’は放射状外面４００を有する。外面４００は容器１５０の軸に対応する中心点を有する円弧形として形成されている。係止面４０２は容器１５０軸を通る半径に沿って延在する。内面４０１は係止面４０２に垂直に形成されるのが好ましい。内面４００は係止面４０２に垂直である必要はないが、前縁部４０５から後縁部４０６にわたって半径方向内側に突出する面であることだけが必要である。この内面４０１の半径方向内側での突出は、係止タブ１２０，１２０’が定置係止ラグ１６４，１６４’上を覆うときの半径方向内側への変形を確実にする。内面４０２は容器１５０を形成するために使用される金型の分割線上に形成されるのが好ましい。
本発明の蓋１１０の操作として、蓋１１０をねじ山１５４上で締めつけ方向へ回転させるときに、係止タブ１２０，１２０’の円弧面３００，３００’（または図１２の態様において係止タブ１２０の先端コーナー３０３）が前縁部４０５で定置係止ラグ１６４の内面４０１と接触する。蓋１１０の締めつけ方向への更なる回転により係止タブ１２０，１２０’が半径方向内側へ屈曲し、それにより係止タブ１２０，１２０’の半径方向外面が内面４０１に沿って慴動する。係止タブ１２０，１２０’が内面４０１に沿って慴動するときに、定置係止ラグ１６４，１６４’は可動パネル１１６，１１６’と係止タブ１２０，１２０’との間の間隙Ｇを通過する。係止タブ１２０，１２０’が内面４０１上を慴動した後に、係止タブ１２０，１２０’は半径方向外側へ係止し、そのようにして係止タブ１２０，１２０’の後面３０４は定置係止ラグ１６４，１６４’の係止面と係合する。容器１５０軸を通る半径に沿って位置決めされた後面３０４および係止面４０２間の係合は可動パネル１１６，１１６’の操作を伴うことなく容器に対する蓋１１０の逆回転を阻止する。
蓋１１０を容器１５０からの取り外すために、使用者は各可動パネル１１６，１１６’上に指を載せて可動パネル１１６，１１６’を押込む。可動パネルｌ１６，１１６’は、可動パネル１１６，１１６’と環状スカート部１１４との間の複数の間隙５００により半径方向へ簡単に屈曲する。これらの間隙は、係止タブ１２０，１２０’の離脱に必要な力が可動パネル蝶番６００の抵抗に対して可動パネル１１６，１１６’を屈曲させるのに必要な力で足りるようにする。この半径方向運動により係止タブ１２０，１２０’の半径方向外側面は定置係止ラグ１６４，１６４’の内面４０１の半径方向内側へ設置される。蓋の解除方向への回転により定置係止ラグ１６４，１６４’は可動パネル１１６，１１６’と係止タブ１２０，１２０’との間の間隙Ｇを通過する。この位置において、蓋１１０の容器１５０に対する解除方向回転によって係止タブ１２０，１２０’は回転して定置係止ラグ１６４，１６４’を通過する。係止タブ１２０，１２０’が定置係止ラグ１６４，１６４’を通過した後に、蓋１１０は既知方法より容器首部１５２から解放される。
係止タブ１２０の使用により可動パネルｌ１６の押込みを可能にし、各係止タブ１２０を直接移動させて定置係止ラグ１６４および１６４’との係合を解除する。このようにして、使用者は、係止タブ１２０が単に間接的に操作される場合よりも特徴的子供対策手段によりその離脱を更に確実に制御できる。更に、上記外周１５６は環状スカート部１１４と融合するように形成されてよく、容器１５０と蓋１１０の連続特性により快適な外観を提供する。ただし、可動パネル１１６，１１６’と環状スカート部１１４との間の間隙５００、同様に可動パネル１１６，１１６’を上壁１１２へ連結する可動パネル蝶番６００によって、本発明の係止機構は、係止機構を解錠するために蓋の周辺を変形させなければならない蓋の場合よりも簡単に離脱する。
当然ながから、本発明の態様としてここに開示の構成の原理に基づいて当分野の熟練者による種々の変更が可能であることは理解できることであり、予測されることであり、かつかかる改変、変形、および置換は本発明の範囲に含まれることが意図されている。例えば、２つの定置係止ラグおよび２つの係止タブが図示されているが、かかる特徴部のいずれの個数も本発明の蓋と容器の組合体に採用できる。本発明の範囲は添付の請求の範囲に基づいて制限される。
【図１】
0003893418.tif 000002
【図２】
0003893418.tif 000003
【図３】
0003893418.tif 000004
【図５】
0003893418.tif 000005
【図４】
0003893418.tif 000006
【図６】
0003893418.tif 000007
【図７】
0003893418.tif 000008
【図１２】
0003893418.tif 000009
【図８】
0003893418.tif 000010
【図９】
0003893418.tif 000011
【図１０】
0003893418.tif 000012
【図１１】
0003893418.tif 000013
【図１３】
0003893418.tif 000014